(57)【要約】【課題】省エネルギー（省コスト）と快適性とを両立させる。【解決手段】送水温度決定装置（情報収集装置）５を設け、ハイブリッドエアコン（Ｈエアコン）１−１〜１−ｎから熱源水の送水温度ｔｗと室内温度ｔpvと設定室内温度ｔspを収集し、Ｈエアコンの１−１〜１−ｎの必要処理熱量Ｑ１〜Ｑｎを求める。そして、記憶されている電力データテーブルＴＢより、熱源水の送水温度を例えば０．５℃刻みで変化させた時の各送水温度時のＨエアコン１−１〜１−ｎの必要処理熱量Ｑ１〜Ｑｎに対応する消費電力Ｗ１〜Ｗｎを予測値として求める。求めた各送水温度時の消費電力の予測値Ｗ１〜Ｗｎより、例えば３０分間の各送水温度時のＨエアコン１−１〜１−ｎの合計使用電力量の予測値ΣＰを求める。合計使用電力量の予測値ΣＰが最も小さい送水温度（運用コストが最も低い送水温度）を熱源水の設定送水温度ＴＷとして決定する。【選択図】  図１
2005140367.tif 000002
【特許請求の範囲】
【請求項１】
熱源水の供給を受けて冷熱および温熱を生成する冷温水コイルと電力の供給を受けて熱媒を圧縮しこの圧縮した熱媒と前記熱源水を使用して冷熱および温熱を生成するヒートポンプ型エアコンとを備えたハイブリッドエアコンを各部屋に設けたシステムにおいて、
前記各ハイブリッドエアコンから少なくともこのハイブリッドエアコンへの熱源水の送水温度とこのハイブリッドエアコンが設けられた部屋の室内温度と設定室内温度とを収集する工程と、
前記収集された各ハイブリッドエアコンからの熱源水の送水温度と室内温度と設定室内温度とに基づいて前記各ハイブリッドエアコンの必要処理熱量を求める工程と、
処理熱量と熱源水の送水温度とハイブリッドエアコンの消費電力との関係を示すテーブルを記憶する工程と、
前記熱源水の送水温度を所定温度刻みで変化させた時の各送水温度時の前記各ハイブリッドエアコンの必要処理熱量に対応する消費電力を予測値として前記テーブルより求める工程と、
前記求められた各送水温度時の各ハイブリッドエアコンの消費電力の予測値に基づいて各送水温度時の全ハイブリッドエアコンの合計使用電力量の予測値を求め、この合計使用電力量の予測値が最も小さい送水温度を前記熱源水の設定送水温度として決定する工程と、
前記決定された設定送水温度に基づいて前記熱源水の送水温度を制御する工程と
を備えたことを特徴とする熱源送水温度制御方法。
【請求項２】
熱源水の供給を受けて冷熱および温熱を生成する冷温水コイルと電力の供給を受けて熱媒を圧縮しこの圧縮した熱媒と前記熱源水を使用して冷熱および温熱を生成するヒートポンプ型エアコンとを備え、各部屋に設けられたハイブリッドエアコンと、
前記各ハイブリッドエアコンから少なくともこのハイブリッドエアコンへの熱源水の送水温度とこのハイブリッドエアコンが設けられた部屋の室内温度と設定室内温度とを収集する手段と、
前記収集された各ハイブリッドエアコンからの熱源水の送水温度と室内温度と設定室内温度とに基づいて前記各ハイブリッドエアコンの必要処理熱量を求める手段と、
処理熱量と熱源水の送水温度とハイブリッドエアコンの消費電力との関係を示すテーブルを記憶する手段と、
前記熱源水の送水温度を所定温度刻みで変化させた時の各送水温度時の前記各ハイブリッドエアコンの必要処理熱量に対応する消費電力を予測値として前記テーブルより求める手段と、
前記求められた各送水温度時の各ハイブリッドエアコンの消費電力の予測値に基づいて各送水温度時の全ハイブリッドエアコンの合計使用電力量の予測値を求め、この合計使用電力量の予測値が最も小さい送水温度を前記熱源水の設定送水温度として決定する手段と、
前記決定された設定送水温度に基づいて前記熱源水の送水温度を制御する手段と
を備えたことを特徴とする熱源送水温度制御装置。
【発明の詳細な説明】
【技術分野】
【０００１】
この発明は、ファンコイルユニットとヒートポンプ型エアコンとを組み合わせたハイブリッドエアコンを各部屋に備えたシステムにおける熱源送水温度制御方法および装置に関するものである。
【背景技術】
【０００２】
ハイブリッドエアコン（以下、Ｈエアコンと呼ぶ）とは、ファンコイルユニット（ＦＣＵ）とヒートポンプ型エアコンとを組み合わせた空調調和機であり、ハイブリッドＦＣＵとも呼ばれている（例えば、類似した技術として特許文献１参照）。このＨエアコンはホテルの客室などに設けられる。
【０００３】
図６にＨエアコンの概略構成を示す。同図において、１はＨエアコン、２はＨエアコン１が設けられたホテルの客室である。Ｈエアコン１は、図示されていない熱源から熱源水の供給を受けて冷熱および温熱を生成する冷温水コイル１Ａと、電力の供給を受けて熱媒を圧縮しこの圧縮した熱媒と熱源からの熱源水を使用して冷熱および温熱を生成するヒートポンプ型エアコン１Ｂと、ファン１Ｃと、マイクロコンピュータが内蔵されたコントローラ１Ｄとを備えている。
【０００４】
冷温水コイル１Ａへの熱源水の供給通路には冷温水弁１Ｅが設けられている。また、冷温水コイル１Ａへの熱源水は、冷温水弁１Ｅに至る前に分岐され、ヒートポンプ型エアコン１Ｂへも与えられる。また、Ｈエアコン１には、送水されてくる熱源水の温度（送水温度）を検出する送水温度センサ１Ｆが設けられている。
【０００５】
〔Ｈエアコンの動作〕
ホテルの客室２には温度センサ３と温度設定器４が設けられている。温度センサ２が検出する客室２の室内温度ｔpvと温度設定器４からの設定室内温度ｔspはＨエアコン１のコントローラ１Ｄに与えられる。コントローラ１Ｄは、温度センサ３からの室内温度ｔpvと温度設定器４からの設定室内温度ｔspとが一致するように、冷温水弁１Ｅの開度（冷温水コイル１Ａへの熱源水の供給量）、ヒートポンプ型エアコン１Ｂの発揮能力、ファン１Ｃの回転数を制御する。
【０００６】
このＨエアコン１において、コントローラ１Ｄは、次のようなアルゴリズムで冷暖房動作を決定する。コントローラ１Ｄは、室内温度ｔpvと設定室内温度ｔspとを比較し、ｔpv＝ｔspであれば、「微風モード（モード０）」とする。「微風モード」では、冷温水弁１Ｅを全閉、ヒートポンプ型エアコン１Ｂをオフとし、ファン１Ｃのみを低速で回転する
【０００７】
ｔpv＜ｔspであれば、コントローラ１Ｄは、暖房を行う必要があると判断する。この場合、コントローラ１Ｄは、送水温度センサ１Ｆからの送水温度ｔｗに基づき、熱源からの熱源水が温水であるのか冷水であるのかを判断する。この例では、ｔｗ＞２５℃である場合を温水であると判断し、ｔｗ＜２５℃である場合を冷水であると判断する。
【０００８】
熱源からの熱源水が温水であると判断すれば、「通常暖房（モード１）」とし、冷温水弁１Ｅの開度を制御する。これによって、冷温水コイル１Ａへの温水の供給量が調整され、冷温水コイル１Ａが生成する温熱の量が調整される。また、コントローラ１Ｄは、この温熱量の調整と合わせて、ファン１Ｃの回転数を制御する。なお、この「通常暖房」では、ヒートポンプ型エアコン１Ｂはオフとする。
【０００９】
熱源からの熱源水が冷水であると判断すれば、「冷房時暖房（モード２）」とし、冷温水弁１Ｅを全閉として冷温水コイル１Ａへの冷水の供給を遮断したうえ、ヒートポンプ型エアコン１Ｂを暖房モードでオンとする。これによって、ヒートポンプ型エアコン１Ｂの運転が開始され、コンプレッサによって圧縮される熱媒と熱源からの熱源水を使用して温熱の生成が行われる。また、コントローラ１Ｄは、この温熱の生成と合わせて、ファン１Ｃの回転数を制御する。なお、この場合、ヒートポンプ型エアコン１Ｂに供給される熱源からの熱源水は、液化された熱媒をガス化するための蒸発器で用いられる。
【００１０】
ステップ７０３において、ｔpv＞ｔspであれば、コントローラ１Ｄは冷房を行う必要があると判断する。この場合、コントローラ１Ｄは、送水温度センサ１Ｆからの送水温度ｔｗに基づき、熱源からの熱源水が温水であるのか冷水であるのかを判断する。
【００１１】
熱源からの熱源水が冷水であると判断すれば（ｔｗ＜２５℃）、「通常冷房（モード３）」とし、冷温水弁１Ｅの開度を制御する。これによって、冷温水コイル１Ａへの冷水の供給量が調整され、冷温水コイル１Ａが生成する冷熱の量が調整される。また、コントローラ１Ｄは、この冷熱量の調整と合わせて、ファン１Ｃの回転数を制御する。なお、この「通常冷房」では、ヒートポンプ型エアコン１Ｂはオフとする。
【００１２】
熱源からの熱源水が温水であると判断すれば、「暖房時冷房（モード４）」とし、冷温水弁１Ｅを全閉として冷温水コイル１Ａへの温水の供給を遮断したうえ、ヒートポンプ型エアコン１Ｂを冷房モードでオンとする。これによって、ヒートポンプ型エアコン１Ｂの運転が開始され、コンプレッサによって圧縮される熱媒と熱源からの熱源水を使用して冷熱の生成が行われる。また、コントローラ１Ｄは、この冷熱の生成と合わせて、ファン１Ｃの回転数を制御する。なお、この場合、ヒートポンプ型エアコン１Ｂに供給される熱源からの熱源水は、ガス化された熱媒を液化するための凝縮器で用いられる。
【００１３】
このように、Ｈエアコンを用いれば、熱源水として温水を用いる冬場であっても冷房を行うことができ、熱源水として冷水を用いる夏場であっても暖房を行うことができ、ホテルなどの客室における利用客の快適性を満足させることが可能となる。すなわち、ＦＣＵのみでは季節単位でしか冷房／暖房の切り替えを行うことができないが、Ｈエアコンでは通年いつでも冷房／暖房の切り替えを行うことができるので、外国人など多種多様の人が宿泊するホテルなどの客室において、利用客の要求に即座に応えることが可能となる。
【００１４】
【特許文献１】特開平８−１００９５９号公報
【発明の開示】
【発明が解決しようとする課題】
【００１５】
上述したように、Ｈエアコンは、冷房時暖房や暖房時冷房などを行うことができる点でＦＣＵよりも優れている。しかしながら、Ｈエアコンはヒートポンプ型エアコンでの電力消費が大きく、ホテルなど従来の類似Ｈエアコンを各部屋に備えたシステムにおいてはその合計使用電力量が過大となり、運用コストの上昇を招いていた。
【００１６】
本発明は、このような課題を解決するためになされたもので、その目的とするところは、Ｈエアコンを各部屋に設けたシステムにおいて、省エネルギー（省コスト）と快適性とを両立させることができる熱源送水温度制御方法および装置を提供することにある。
【課題を解決するための手段】
【００１７】
このような目的を達成するために本発明は、Ｈエアコンを各部屋に設けたシステムにおいて、各Ｈエアコンから少なくともこのＨエアコンへの熱源水の送水温度とこのＨエアコンが設けられた部屋の室内温度と設定室内温度とを収集する工程（手段）と、収集された各Ｈエアコンからの熱源水の送水温度と室内温度と設定室内温度とに基づいて各Ｈエアコンの必要処理熱量を求める工程（手段）と、処理熱量と熱源水の送水温度とＨエアコンの消費電力との関係を示すテーブルを記憶する工程（手段）と、熱源水の送水温度を所定温度刻みで変化させた時の各送水温度時の各ハイブリッドエアコンの必要処理熱量に対応する消費電力を予測値として前記テーブルより求める工程（手段）と、求められた各送水温度時の各Ｈエアコンの消費電力の予測値に基づいて各送水温度時の全Ｈエアコンの合計使用電力量の予測値を求め、この合計使用電力量の予測値が最も小さい送水温度を熱源水の設定送水温度として決定する工程（手段）と、決定された設定送水温度に基づいて熱源水の送水温度を制御する工程（手段）とを設けたものである。
【００１８】
この発明によれば、各部屋に設けられたＨエアコンから熱源水の送水温度（ｔｗ）と室内温度（ｔpv）と設定室内温度（ｔsp）とが収集され、この収集された送水温度ｔｗと室内温度ｔpvと設定室内温度ｔspとに基づいて各Ｈエアコンの必要処理熱量が求められる。すなわち、Ｈエアコンが各部屋に１台、合計ｎ台設けられているとすれば、各Ｈエアコンの必要処理熱量がＱ１〜Ｑｎとして求められる。そして、処理熱量と熱源水の送水温度とＨエアコンの消費電力との関係を示すテーブルより、熱源水の送水温度を所定温度刻み（例えば、０．５℃刻み）で変化させた時の各送水温度時の各Ｈエアコンの必要処理熱量Ｑ１〜Ｑｎに対応する消費電力Ｗ１〜Ｗｎが予測値として求められ、この求められた各送水温度時の各Ｈエアコンの消費電力の予測値Ｗ１〜Ｗｎより、各送水温度時の全Ｈエアコンの例えば３０分間の合計使用電力量の予測値ΣＰが求められる。そして、この求められた合計使用電力量の予測値ΣＰが最も小さい送水温度が熱源水の設定送水温度として決定される。
【発明の効果】
【００１９】
本発明によれば、処理熱量と熱源水の送水温度とＨエアコンの消費電力との関係を示すテーブルより、熱源水の送水温度を所定温度刻みで変化させた時の各送水温度時の各Ｈエアコンの必要処理熱量に対応する消費電力が予測値として求められ、この求められた各送水温度時の各Ｈエアコンの消費電力の予測値より各送水温度時の全Ｈエアコンの合計使用電力量の予測値が求められ、この求められた合計使用電力量の予測値が最も小さい送水温度が熱源水の設定送水温度として決定される。これにより、システムに設けられたＨエアコン全体としてその運転コストが最も低くなる送水温度が熱源水の設定送水温度とされ、Ｈエアコンを各部屋に設けたシステムにおいて、省エネルギー（省コスト）と快適性とを両立させることができるようになる。
【発明を実施するための最良の形態】
【００２０】
以下、本発明を図面に基づいて詳細に説明する。図１はこの発明に係る熱源水温度制御方法が適用された空調システムの一実施の形態を示す図である。
同図において、１−１〜１−ｎはホテルの客室２−１〜２−ｎに各個に設けられたＨエアコンである。客室２−１〜２−ｎには、検出した室内温度ｔpv1 〜ｔpvn をＨエアコン１−１〜１−ｎへ送る温度センサ３−１〜３−ｎと、利用者からの設定室内温度ｔsp1 〜ｔspn をＨエアコン１−１〜１−ｎへ送る温度設定器４−１〜４−ｎが設けられている。なお、この例では、ｎ＝２００とし、客室２は２００部屋、Ｈエアコン１は２００台設けられているものとする。
【００２１】
Ｈエアコン１（１−１〜１−ｎ）は、図２にその内部構成の概略を示すように、図６に示した従来のＨエアコンと同構成とされている。すなわち、本実施の形態のＨエアコン１も従来のＨエアコンと同様に、冷温水コイル１Ａと、ヒートポンプ型エアコン１Ｂと、ファン１Ｃと、マイクロコンピュータが内蔵されたコントローラ１Ｄとを備えており、冷温水コイル１Ａへの熱源水の供給通路に冷温水弁１Ｅと送水温度センサ１Ｆが設けられている。また、冷温水コイル１Ａへの熱源水が冷温水弁１Ｅに至る前に分岐され、ヒートポンプ型エアコン１Ｂへ与えられる構成とされている。
【００２２】
本実施の形態において、従来のシステムと異なる点は、Ｈエアコン１−１〜１−ｎが専用の通信回線Ｌを介して送水温度決定装置（情報収集装置）５に接続されている点にある。また、送水温度決定装置５において、Ｈエアコン１−１〜１−ｎから収集したデータに基づいてＨエアコン１−１〜１−ｎへの熱源６からの熱源水の送水温度の最適値を決定し、この決定した送水温度の最適値を設定送水温度ＴＷとして熱源コントローラ７に送るようにしている点にある。熱源コントローラ７は、送水温度決定装置５からの設定送水温度ＴＷを受けて、熱源６からの熱源水の温度を設定送水温度ＴＷに合致するように熱源６を制御する。
【００２３】
送水温度決定装置５は、プロセッサや記憶装置からなるハードウェアと、これらのハードウェアと協働して送水温度決定装置としての各種機能を実現させるプログラムとによって実現され、本実施の形態特有の機能として熱源水の送水温度の最適値を決定する最適送水温度決定機能を有している。以下、図３に示すフローチャートに従って、送水温度決定装置５が有する最適送水温度決定機能について説明する。
【００２４】
送水温度決定装置５は、制御周期を３０分とし、図３に示したフローチャートに従う処理動作を繰り返し実行する。先ず、送水温度決定装置５は、制御周期内の０〜２０分の間に、Ｈエアコン１−１〜１−ｎからデータを定周期で収集する（ステップ３０１）。本実施の形態では、Ｈエアコン１−１〜１−ｎへの熱源水の送水温度ｔw1〜ｔwnと、温度センサ３−１〜３−ｎから送られてくる室内温度ｔpv1 〜ｔpvn と、温度設定器４−１〜４−ｎから送られてくる設定室内温度ｔsp1 〜ｔspn と、ファン１Ｃの実回転数Ｎpvと、ファン１Ｃへの設定回転数Ｎspと、Ｈエアコン１−１〜１−ｎの運転状態と、故障などの異常情報をデータとして収集する。
【００２５】
次に、送水温度決定装置５は、制御周期内の２０〜２６分の間に、ステップ３０２〜３０９の処理動作を実行する。先ず、ステップ３０２において、Ｈエアコン１−１〜１−ｎから収集したデータに基づき、客室２−１〜２−ｎの室内温度ｔpv1 〜ｔpvn の平均値ｔpva1〜ｔpvanと、客室２−１〜２−ｎの設定室内温度ｔsp1 〜ｔspn の平均値ｔspa1〜ｔspanと、Ｈエアコン１−１〜１−ｎへの熱源水の送水温度ｔw1〜ｔwnの平均値ｔwa1 〜ｔwan を算出する。
【００２６】
次に、この算出した客室２−１〜２−ｎの室内温度の平均値ｔpva1〜ｔpvanと、客室２−１〜２−ｎの設定室内温度の平均値ｔspa1〜ｔspanと、Ｈエアコン１−１〜１−ｎへの熱源水の送水温度の平均値ｔwa1 〜ｔwan とから、Ｈエアコン１−１〜１−ｎの必要処理熱量を以下のようにして求める（ステップ３０３）。
【００２７】
〔冷房時暖房の場合〕
熱源水の送水温度ｔwがｔw＜２５℃であり、室内温度の平均値ｔpvａが設定室内温度の平均値ｔspa に対しｔpva ＜ｔspa であれば、冷房時暖房であると判断し、室内温度の平均値ｔpva と設定室内温度の平均値ｔspa との差と客室２の容積とからＨエアコン１の暖房に要する必要処理熱量Ｑを求める。本実施の形態では、この暖房に要する処理熱量Ｑをマイナス（−）で表す。
【００２８】
〔暖房時冷房の場合〕
熱源水の送水温度ｔwがｔw＞２５℃であり、室内温度の平均値ｔpvａが設定室内温度の平均値ｔspa に対しｔpva ＞ｔspa であれば、暖房時冷房であると判断し、室内温度の平均値ｔpva と設定室内温度の平均値ｔspa との差と客室２の容積とからＨエアコン１の冷房に要する必要処理熱量Ｑを求める。本実施の形態では、この冷房に要する処理熱量Ｑをプラス（＋）で表す。
【００２９】
次に、送水温度決定装置５は、予め定められている処理熱量と送水温度とＨエアコンの消費電力との関係を示すテーブル（以下、このテーブルを電力データテーブルと呼ぶ）より、熱源水の送水温度を７℃から４５℃、０．５℃刻みで変化させた時の各送水温度時のＨエアコン１−１〜１−ｎの必要処理熱量Ｑ１〜Ｑｎに対応する消費電力Ｗ１〜Ｗｎを予測値として求める。
【００３０】
図４に上述した電力データテーブルの一例を示す。この例では、送水温度として「７℃」、「１０℃」、「２０℃」、「２５℃」、「３５℃」、「４５℃」しか示していないが、実際には７℃から４５℃まで０．５℃刻みで送水温度は計算される。また、処理熱量はマイナス（−）が暖房に要する処理熱量を表し、プラス（＋）が冷房に要する処理熱量を表している。この電力データテーブルＴＢにおいて、縦に羅列された処理熱量と横に羅列された送水温度との交点で特定される値がその時に必要なＨエアコン１の消費電力（Ｗ）を示す。
【００３１】
〔送水温度によってＨエアコンの消費電力が異なる理由〕
Ｈエアコン１では、主として、ヒートポンプ型エアコン１Ｂとファン１Ｃにおいて電力が消費される。ヒートポンプ型エアコン１Ｂは、電力の供給を受けて熱媒を圧縮し、この圧縮した熱媒と熱源６からの熱源水を使用して冷熱および温熱を生成する。冷房を行う場合には、ガス化された熱媒を液化するための凝縮器で熱源水を使用し、暖房を行う場合には、液化された熱媒をガス化するための蒸発器で熱源水を使用する。
【００３２】
ガス化された熱媒を液化するための凝縮器で熱源水を使用する場合、熱源水はその温度が低いほど、Ｈエアコン１での消費電力は小さくなる。液化された熱媒をガス化するための蒸発器で熱源水を使用する場合、熱源水はその温度が高いほど、Ｈエアコン１での消費電力は小さくなる。したがって、ヒートポンプ型エアコン１Ｂを使用する場合のＨエアコン１の消費電力は、Ｈエアコン１の処理熱量だけではなく、熱源水の送水温度によっても変わってくる。本実施の形態では、このＨエアコン１の処理熱量と熱源水の送水温度と消費電力との関係を前もって実験値として求め、電力データテーブルＴＢとして送水温度決定装置５に書き替え可能に記憶させている。
【００３３】
送水温度決定装置５は、上述したステップ３０４において、熱源水の送水温度を７℃から４５℃、０．５℃刻みで変化させた時の各送水温度時のＨエアコン１−１〜１−ｎの必要処理熱量Ｑ１〜Ｑｎに対応する消費電力Ｗ１〜Ｗｎを電力データテーブルＴＢより予測値として求めた後、この求めた各送水温度時のＨエアコン１−１〜１−ｎの消費電力の予測値Ｗ１〜Ｗｎより、各送水温度時のＨエアコン１−１〜１−ｎの３０分間の消費電力量の予測値Ｐ１〜Ｐｎを求める（ステップ３０５）。
【００３４】
そして、この求めた各送水温度時のＨエアコン１−１〜１−ｎの消費電力量の予測値Ｐ１〜Ｐｎより、各送水温度時のＨエアコン１−１〜１−ｎの合計使用電力量の予測値ΣＰを求め（ステップ３０６）、この求めた合計使用電力量の予測値ΣＰをコスト（合計コスト）に換算する（ステップ３０７）。
【００３５】
そして、この合計コストのうち最もコストの低い送水温度を最適値として決定し（ステップ３０８）、この決定した送水温度の最適値を設定送水温度ＴＷとして熱源コントローラ７に送る（ステップ３０９）。これは、合計使用電力量の予測値ΣＰが最も小さい送水温度を最適値として決定し、この決定した送水温度の最適値を設定送水温度ＴＷとして熱源コントローラ７に送っていることに他ならない。
【００３６】
熱源コントローラ７は、送水温度決定装置５から送られてきた設定送水温度ＴＷに合致するように、熱源６からのＨエアコン１−１〜１−ｎへの熱源水の温度を制御する。送水温度決定装置５は、熱源コントローラ７へ設定送水温度ＴＷを送った後、制御周期の残りの２６〜３０分の間、効果待ち時間として待機し、ステップ３０１へ戻って上述した動作を繰り返す。
【００３７】
図５に各送水温度時の消費電力量の予測値Ｐと合計使用電力量ΣＰおよび合計コストの一例を示す。この例では、送水温度として「７℃」、「１０℃」、「２０℃」、「２５℃」、「３５℃」、「４５℃」しか示していないが、実際には７℃から４５℃まで０．５℃刻みで送水温度は存在する。また、Ｈエアコン１の消費電力量の予測値ＰとしてＰ１〜Ｐ６の６つしか示していないが、すなわちＨエアコン１−１〜１−６（図示せず）の消費電力量の予測値Ｐ１〜Ｐ６しか示していないが、実際にはＨエアコン１は２００台設けられており、この２００台のＨエアコン１に対応して各送水温度時の消費電力量の予測値Ｐが存在する。
【００３８】
図５の例では、送水温度が７℃の場合、Ｈエアコン１−１〜１−６の消費電力量の予測値Ｐ１〜Ｐ６を加算した値が合計使用電力量ΣＰ（＝２２ｋＷｈ）となり、この合計使用電力量をコストに換算した「￥１，１３３」が合計コストとして得られる。以下、同様にして、送水温度が１０℃の場合の合計コストとして「￥８７７」が、２０℃の場合の合計コストとして「￥８５３」が、２５℃の場合の合計コストとして「￥７４２」が、３５℃の場合の合計コストとして「￥１，０９９」が、４５℃の場合の合計コストとして「￥３，２６８」が得られる。この例では、合計コストが最も低い送水温度である２５℃が最適値として決定され、これが設定送水温度ＴＷとして送水温度決定装置５から熱源コントローラ７へ送られる。
【００３９】
なお、上述した実施の形態において、送水温度決定装置５における電力データテーブルＴＢ（図４）内の消費電力のデータは固定値ではなく、必要に応じてその値を書き替えることができることは言うまでもない。
【図面の簡単な説明】
【００４０】
【図１】本発明に係る熱源水温度制御方法が適用された空調システムの一実施の形態を示す図である。
【図２】この空調システムに用いるＨエアコンの内部構成の概略を示す図である。
【図３】この空調システムにおける送水温度決定装置が有する最適送水温度決定機能を説明するためのフローチャートである。
【図４】この空調システムにおける送水温度決定装置に記憶された電力データテーブルの一例を示す図である。
【図５】この空調システムにおける送水温度決定装置で求められる各送水温度時の消費電力量の予測値Ｐと合計使用電力量ΣＰおよび合計コストの一例を示す図である。
【図６】従来のＨエアコンの概略構成を示す図である。
【符号の説明】
【００４１】
１（１−１〜１−ｎ）…ハイブリッドエアコン（Ｈエアコン）、１Ａ…冷温水コイル、１Ｂ…ヒートポンプ型エアコン、１Ｃ…ファン、１Ｄ…コントローラ、１Ｅ…冷温水弁、１Ｆ…送水温度センサ、２（２−１〜２−ｎ）…客室、３（３−１〜３−ｎ）…温度センサ、４（４−１〜４−ｎ）…温度設定器、５…送水温度決定装置（情報収集装置）、６…熱源、７…熱源コントローラ、Ｌ…専用の通信回線。
【図１】
2005140367.tif 000003
【図２】
2005140367.tif 000004
【図３】
2005140367.tif 000005
【図４】
2005140367.tif 000006
【図５】
2005140367.tif 000007
【図６】
2005140367.tif 000008